(57)【特許請求の範囲】
【請求項１】
メディアが載置される吸着板に形成された複数の吸引孔に吸引力を生じさせて、前記メディアを前記吸着板に吸着する吸着装置において、
前記吸着板に対して移動自在に配設されるとともに、それぞれ異なる寸法で前記吸引孔に対応して形成された開口部を備え、前記開口部内に前記吸引孔が位置したときに前記吸引孔に吸引力が生じ、前記開口部内に前記吸引孔が位置しないときに前記吸引孔に吸引力が生じないようにする吸引制御板と、
前記吸引制御板を移動して、前記吸引制御板における前記開口部内に位置する前記吸引孔の数を制御する制御手段と
を有し、
前記開口部は、矩形形状の１つの角を切り欠くとともに、角部分が円弧状に丸められた略五角形形状に形成され、
前記開口部は、第１の方向および前記第１の方向と直交する第２の方向に沿ってマトリックス状に並設され、
前記第１の方向に沿って並ぶ前記開口部は、
隣り合う前記開口部の前記第１の方向における一方側の第１の辺間の間隔が一致し、 前記第１の方向における他方側に位置する前記開口部ほど、前記第２の方向における一方側の第３の辺が所定量だけ長く、前記第１の辺および前記第２の方向における他方側の第４の辺の長さならびに切り欠かれて形成された第５の辺の傾斜角度は変化せず、前記第１の方向における他方側の第２の辺が前記所定量だけ短くなり、
隣り合う前記開口部の前記第２の辺間の間隔が一致するとともに、該間隔は前記第１の方向に沿って並設された前記吸引孔間の間隔と一致し、
前記開口部の角部分は、前記吸引孔の半径と一致する半径の円弧で丸められ、
前記第２の方向に沿って並ぶ前記開口部は、
隣り合う前記開口部の前記第３の辺間の間隔が一致し、
前記第２の方向における他方側に位置する前記開口部ほど、前記第１の辺が前記所定量だけ長く、前記第３の辺および前記第２の辺の長さ並びに前記第５の辺の傾斜角度は変化せず、前記第４の辺が前記所定量だけ短くなり、
隣り合う前記開口部の前記第４の辺間の間隔が一致するとともに、該間隔は前記第２の方向に沿って並設された前記吸引孔間の間隔と一致し、
前記開口部の角部分は、前記吸引孔の半径と一致する半径の円弧で丸められている
ことを特徴とする吸着装置。
【請求項２】
請求項１に記載の吸着装置において、
前記制御手段は、前記吸引制御板の全ての前記開口部内に前記吸引孔が位置せず、全ての前記吸引孔に吸引力が生じない第１の状態から、前記吸引制御板の全ての前記開口部内に前記吸引孔が位置し、全ての前記吸引孔に吸引力が生じる第２の状態に移行するときに、吸引力が生じる前記吸引孔が存在する領域たる吸引領域が、所定の方向に拡張しながら移行する
ことを特徴とする吸着装置。
【発明の詳細な説明】
【技術分野】
【０００１】
本発明は、吸着装置に関し、さらに詳細には、メディアに対して所定の加工を行うフラットベッド型の加工装置において、メディアを吸着板に吸着させる吸着装置に関する。
【背景技術】
【０００２】
従来より、例えば、特許文献１として提示する特開２０１４−８３７４１号公報に開示されているようなフラットベッド型のインクジェットプリンタが知られている。
【０００３】
こうしたインクジェットプリンタでは、メディアを載置するフラットベッドはメディアを吸引する吸着装置として構成されている。
【０００４】
具体的には、フラットベッドとしての吸着装置は、メディアが載置されるとともに複数の吸引孔が形成された吸着板と、吸着板を支持するとともに吸引ポンプが接続されるベース部材と有して構成されている。
【０００５】
ところで、こうした吸着装置では、吸着板に形成された複数の吸引孔の径は一定であり、吸引ポンプにより各吸引孔において均一な吸引力が生じるように構成されている。
【０００６】
このため、吸着板上に載置されたメディアによって、吸着板に設けられた全ての吸引孔が塞がれていない場合には、メディアにより塞がれた吸引孔における吸引力は、メディアにより塞がれていない吸引孔によりその吸引力を奪われてしまう。
【０００７】
従って、吸着板上にメディアを載置した際に、メディアにより塞がれていない吸引孔が存在する場合には、端材などを用いて当該吸引孔を塞がなければならず、こうした作業が作業者にとって負担となることが問題点として指摘されていた。
【０００８】
また、各吸引孔では均一な吸引力が生じているため、吸着板上で紙などの変形しやすいメディアを吸着する際には、作業者が当該メディアにシワを生じさせないための作業をしなければならず、こうした作業についても作業者にとって負担となることが問題点として指摘されていた。
【先行技術文献】
【特許文献】
【０００９】
【特許文献１】特開２０１４−８３７４１号公報
【発明の概要】
【発明が解決しようとする課題】
【００１０】
本発明は、上記したような従来の技術の有する種々の問題点に鑑みてなされたものであり、その目的とするところは、メディアを吸引する際に、メディアが塞いでいない吸引孔を端材で塞ぐ必要のない吸着装置を提案しようとするものである。
【００１１】
また、本発明の目的とするところは、メディアを吸引する際にメディアにシワが生じ難い吸着装置を提案しようとするものである。
【課題を解決するための手段】
【００１２】
上記目的を達成するために、本発明は、メディアが載置される吸着板に形成された複数の吸引孔に吸引力を生じさせて、上記メディアを上記吸着板に吸着する吸着装置において、上記吸着板に対して移動自在に配設されるとともに、それぞれ異なる寸法で上記吸引孔に対応して形成された開口部を備え、上記開口部内に上記吸引孔が位置したときに上記吸引孔に吸引力が生じ、上記開口部内に上記吸引孔が位置しないときに上記吸引孔に吸引力が生じないようにする吸引制御板と、上記吸引制御板を移動して、上記吸引制御板における上記開口部内に位置する上記吸引孔の数を制御する制御手段とを有するようにしたものである。
【００１３】
また、本発明は、上記した発明において、上記制御手段は、上記吸引制御板の全ての上記開口部内に上記吸引孔が位置せず、全ての上記吸引孔に吸引力が生じない第１の状態から、上記吸引制御板の全ての上記開口部内に上記吸引孔が位置し、全ての上記吸引孔に吸引力が生じる第２の状態に移行するときに、吸引力が生じる上記吸引孔が存在する領域たる吸引領域が、所定の方向に拡張しながら移行するようにしたものである。
【００１４】
また、本発明は、上記した発明において、上記開口部は、矩形形状の１つの角を切り欠くとともに、角部分が円弧状に丸められた略五角形形状に形成されるようにしたものである。
【００１５】
また、本発明は、上記した発明において、上記開口部は、第１の方向および上記第１の方向と直交する第２の方向に沿ってマトリックス状に並設されるようにしたものである。
【００１６】
また、本発明は、上記した発明において、上記第１の方向に沿って並ぶ上記開口部は、隣り合う上記開口部の上記第１の方向における一方側の第１の辺間の間隔が一致し、上記第１の方向における他方側に位置する上記開口部ほど、上記第２の方向における一方側の第３の辺が所定量だけ長く、上記第１の辺および上記第２の方向における他方側の第４の辺の長さならびに切り欠かれて形成された第５の辺の傾斜角度は変化せず、上記第１の方向における他方側の第２の辺が上記所定量だけ短くなり、隣り合う上記開口部の上記第２の辺間の間隔が一致するとともに、該間隔は上記第１の方向に沿って並設された上記吸引孔間の間隔と一致し、上記開口部の角部分は、上記吸引孔の半径と一致する半径の円弧で丸められ、上記第２の方向に沿って並ぶ上記開口部は、隣り合う上記開口部の上記第３の辺間の間隔が一致し、上記第２の方向における他方側に位置する上記開口部ほど、上記第１の辺が上記所定量だけ長く、上記第３の辺および上記第２の辺の長さ並びに上記第５の辺の傾斜角度は変化せず、上記第４の辺が上記所定量だけ短くなり、隣り合う上記開口部の上記第４の辺間の間隔が一致するとともに、該間隔は上記第２の方向に沿って並設された上記吸引孔間の間隔と一致し、上記開口部の角部分は、上記吸引孔の半径と一致する半径の円弧で丸められているようにしたものである。
【発明の効果】
【００１７】
本発明は、以上説明したように構成されているので、メディアを吸引する際に、メディアが塞いでいない吸引孔を端材で塞ぐ必要がないという優れた効果を奏するものである。
【００１８】
また、本発明は、以上説明したように構成されているので、メディアを吸引する際にメディアにシワが生じ難いという優れた効果を奏するものである。
【図面の簡単な説明】
【００１９】
【図１】図１は、本発明による吸着装置を備えたインクジェットプリンタの概略構成斜視説明図である。
【図２】図２（ａ）（ｂ）（ｃ）は、吸着装置の主要な構成部材の概略構成斜視説明図である。
【図３】図３は、図２（ｂ）のＡ矢視図である。
【図４】図４（ａ）は、吸着板に形成された吸引孔を示す説明図であり、また、図４（ｂ）は、吸引制御板に形成された開口部を示す説明図である。
【図５】図５は、吸引制御板に形成された開口部の寸法の一例を示す説明図である。
【図６】図６は、マイクロコンピューターの機能的構成を示すブロック構成説明図である。
【図７】図７（ａ）（ｂ）（ｃ）（ｄ）は、メディアの大きさに基づいて吸引力を生じる吸引孔の位置を説明する説明図である。
【図８】図８（ａ）（ｂ）（ｃ）は、メディアの大きさに基づいて吸引力を生じる吸引孔の位置を説明する説明図である。
【図９】図９（ａ）（ｂ）（ｃ）（ｄ）は、シワの生じやすいメディアを吸引する際の吸引領域の拡張を説明する説明図である。
【図１０】図１０は、吸引孔に対する開口部の配置位置を示す説明図である。
【発明を実施するための形態】
【００２０】
以下、添付の図面を参照しながら、本発明による吸着装置の実施の形態の一例を詳細に説明することとする。
【００２１】
図１には、本発明による吸着装置を備えたインクジェットプリンタの概略構成斜視説明図が示されている。
【００２２】
この図１に示すインクジェットプリンタ１０は、ＸＹＺ直交座標系におけるＸＹ平面上にメディアが載置されるとともに、載置されたメディアを吸着するフラットベッドとしての吸着装置１２を備えている。
【００２３】
即ち、吸着装置１２は、メディアを載置する上面１２ａがＸＹ平面と平行に形成されている。
【００２４】
この吸着装置１２は、複数の吸引孔２６が形成された吸着板１８と、吸着板１８を支持するとともに吸引ポンプ２０が接続されたベース部材２２と、ベース部材２２内に配設されて吸着板１８に形成された各吸引孔２６を塞いで吸引孔２６の吸引力を制御する吸引制御部２４とを有して構成されている（図２（ａ）（ｂ）（ｃ）を参照する。）。
【００２５】
また、インクジェットプリン１０は、Ｙ軸方向に移動自在に配設された印刷ユニット１４を備えている。
【００２６】
この印刷ユニット１４には、吸着装置１２の上方側をＸ軸方向で移動自在に配設されたインクジェットヘッド（図示せず。）が設けられている。
【００２７】
なお、インクジェットプリンタ１０の全体の動作については、マイクロコンピューター１６により制御されており、このマイクロコンピューター１６では、吸着装置１２上のメディアの大きさやメディアの特性（例えば、シワの生じやすさに関する特性である。）に基づいて吸引制御部２４を介して吸引孔２６における吸引を制御する処理などを行う。
【００２８】
ここで、インクジェットプリンタ１０は、吸着装置１２において吸引制御部２４を備えている点および吸引制御部２４を介して吸引孔２６における吸引を制御する処理を行う点についてのみ従来の技術とは異なり、その他の構成および制御方法については、従来より公知の技術を適用することができる。
【００２９】
従って、以下の説明においては、吸引制御部２４を備えた吸着装置１２ならびに吸引制御部２４を介して吸引孔２６の吸引を制御する処理についてのみ説明するものとして、従来より公知の技術を適用できるその他の構成ならびに制御に関する詳細な説明は省略する。
【００３０】
吸着装置１２における吸着板１８には、表面１８ａから裏面１８ｂへ貫通する吸引孔２６が複数配設されており、例えば、図４（ａ）に示すように、Ｘ軸方向およびＹ軸方向に沿って３行３列のマトリックス状に並設されて、合計９個の吸引孔２６が吸着板１８に形成されている。このとき、Ｘ軸方向およびＹ軸方向に沿って並設された吸引孔２６間の間隔は、全て一致するように設計される。
【００３１】
吸着装置１２におけるベース部材２２は、上面が開口した中空の略箱体状に形成され、開口した上面部分を覆うように吸着板１８が着脱自在に配設されて、内部に空間を形成する（図２（ｃ）を参照する。）。なお、吸着板１８が装着されてベース部材２２内に形成された空間は、吸着板１８に設けられた吸引孔２６およびベース部材２２の貫通孔２２ｂ（後述する。）のみで外部空間と連通するようになる。
【００３２】
ベース部材２２の底面２２ａには、貫通孔２２ｂが形成されており、この貫通孔２２ｂには、チューブ（図示せず。）を介して吸引ポンプ２０が連結されている。
【００３３】
ベース部材２２の底面２２ａの後端部において立設された側壁２２ｃには、一方の端部が駆動部材２８に接続されたシャフト３０がＹ軸方向に延長して配設され、このシャフト３０の外周面にはネジ山が形成されている。そして、シャフト３０は、駆動手段２２の駆動によりＹ軸周りに回転する。
【００３４】
また、側壁２２ｃの壁面２２ｃａには、一対のレール３８（後述する。）の一方の端部を固定する一対の穴部（図示せず。）が形成されている。
【００３５】
ベース部材２２の底面２２ａの前端部において立設された側壁２２ｄには、壁面２２ｄａに一対のレール３８（後述する。）の他方の端部を固定する一対の穴部３２が形成されている。
【００３６】
吸着装置１２における吸引制御部２４は、ベース部材２２においてＹ軸方向に移動自在に配設される板部材３４と、板部材３４の上面３４ａにおいてＸ軸方向に移動自在に配設される吸引制御板３６とを有して構成されている（図２（ｂ）を参照する。）。
【００３７】
なお、吸引制御部２４がベース部材２２に配設され、ベース部材２２に吸着板１８が装着されると、吸着板１８の裏面１８ｂと吸引制御板３６の上面３６ａとが当接した状態となり、この状態で吸引制御板３６が移動可能なように設計されている。
【００３８】
板部材３４は、後端面３４ｂに穴部４０が形成され、この穴部４０の内周面には、シャフト３０に形成されたネジ山に螺合可能なネジ溝が形成されている。
【００３９】
また、板部材３４は、一対のレール３８に摺動自在に配設され、この一対のレール３８は、一方の端部がベース部材２２の側壁２２ｃの壁面２２ｃａに形成された一対の穴部（図示せず。）に固定され、他方の端部がベース部材２２の側壁２２ｄの壁面２２ｄａに形成された一対の穴部３２に固定されることとなる。
【００４０】
なお、このとき、一対のレール３８は、Ｙ軸方向に延長するように配設されることとなる。
【００４１】
さらに、このとき、板部材３４の穴部４０内にシャフト３０の他方の端部側が挿入される。
【００４２】
従って、板部材３４は、駆動部材２２の駆動により回転するシャフト３０によって、ベース部材２２内において、一対のレール３８に沿ってＹ軸方向に移動することが可能な構成となっている。
【００４３】
なお、板部材３４の幅Ｗ１（つまり、図２（ｂ）におけるＸ軸方向の長さである。）は、ベース部材２２における側壁２２ｅ、２２ｆ間の長さＬ２よりも小さい値となり、また、板部材３４の長さＬ１（つまり、図２（ｂ）におけるＹ軸方向の長さである。）は、ベース部材２２における側壁２２ｃ、２２ｄ間の長さＬ３よりも小さい値となる。
【００４４】
吸引制御板３６は、板部材３４の上面３４ａにおいて固定的に配設された一対のレール４２に摺動自在に配設されている。なお、このとき、吸引制御板３６と板部材３４との間には、間隙Ｇが設けられている（図３を参照する。）。
【００４５】
この一対のレール４２は、板部材３４における一対のレール３８と直交する方向に延設されている。つまり、一対のレール３８がＹ軸方向に延長している場合には、一対のレール４２は、Ｘ軸方向に延長することとなる。
【００４６】
吸引制御板３６は、側面３６ｂに穴部４４が形成されており、この穴部４４の内周面にはネジ溝が形成されている。
【００４７】
また、板部材３４には、駆動部材４６が配設され、この駆動部材４６には、一方の端部が駆動部材４６に接続されたシャフト４８が、一対のレール４２の延長方向と一致する方向に延設されている。
【００４８】
そして、シャフト４８は、駆動部材４６の駆動により当該延長方向の軸線周りに回転する。即ち、一対のレール４２がＸ軸方向に延長している場合には、シャフト４８はＸ軸周りに回転することとなる。
【００４９】
なお、シャフト４８の外周面には穴部４４の内周面に形成されたネジ溝と螺合可能なネジ山が形成されている。
【００５０】
そして、吸引制御板３６の穴部４４には、シャフト４８の他方の端部側が挿入されている。
【００５１】
従って、吸引制御板３６は、駆動部材４６の駆動により回転するシャフト４８によって、板部材３４上で一対のレール４２に沿って移動することが可能な構成となっている。
【００５２】
即ち、板部材３４における一対のレール３８がベース部材２２においてＹ軸方向に延長して配設されるときには、吸引制御板３６は、板部材３４を介してＹ軸方向に移動可能となるとともに、板部材３４上をＸ軸方向に移動可能な構成となる。
【００５３】
なお、吸引制御板３６および板部材３４とにより構成される吸引制御部２４の厚さｔ（図３を参照する。）は、ベース部材２２に吸着板１８が装着されたときのベース部材２２の底面２２ａから吸着板１８の裏面までの長さより小さい値となる。
【００５４】
従って、吸引制御部２４が配設されたベース部材２２に吸着板１８を装着した際には、吸着板１８の裏面１８ｂに吸引制御板３６の表面３６ａが当接した状態で、吸引制御板３６がＸ軸方向およびＹ軸方向に移動自在な構成となっている。
【００５５】
また、吸引制御板３６は、吸着板１８に形成された複数の吸引孔２６のそれぞれに対応して開口部５０が形成されている。つまり、吸引孔２６と開口部５０とは、その配置位置に基づいて一対一の関係となっている。
【００５６】
具体的には、吸引制御板３６には、図４（ａ）に示す９つの吸引孔２６に対応するように、Ｘ軸方向およびＹ軸方向に沿って３行３列のマトリックス状に並設された、合計９個の開口部５０が形成されている。
【００５７】
即ち、吸引制御板３６には、図１０に示すように、吸引孔２６−１、２６−２、２６−３、２６−４、２６−５、２６−６、２６−７、２６−８、２６−９にそれぞれ対応するように、開口部５０−１、５０−２、５０−３、５０−４、５０−５、５０−６、５０−７、５０−８、５０−９がそれぞれ設けられている。
【００５８】
そして、吸着板１８を装着したベース部材２２内に配設された吸引制御部２４において、吸引ポンプ２０が駆動した状態で吸引制御板３６が移動すると、吸引制御板３６の開口部５０内に吸着板１８の吸引孔２６が位置したときには、吸引孔２６が外部空間から空気を吸引し、吸引孔２６において吸引力が生じる。また、吸引制御板３６の開口部５０内に吸着板１８の吸引孔２６が位置しないときには、吸引孔２６は外部空間から空気を吸引できず、吸引孔２６に吸引力が生じなくなる。
【００５９】
なお、開口部５０は、それぞれ異なる形状で開口しているため、吸引制御板３６の移動方向や移動量によって、吸引力を生じる吸引孔２６の数を変更することができる。
【００６０】
ここで、図４（ａ）に示す９つの吸引孔２６に対応して形成された開口部５０の形状について説明する。
【００６１】
開口部５０は、矩形形状の左方側前方の角を切り欠いた略五角形形状に形成されており、各角部分は円弧状に丸められている。
【００６２】
なお、各開口部５０は、それぞれ異なる寸法で形成され、最も右方側においてＹ軸方向に沿って並ぶ開口部のうちの最も後方側に位置する開口部５０−１を基準開口部とする。
【００６３】
具体的には、まず、基準開口部たる開口部５０−１では、正方形の左方側前方の角部を切り欠いた略五角形形状に形成され、切り欠きにより形成された斜辺５０ａは、前辺５０ｂから４５°傾斜して左辺５０ｃに達している。
【００６４】
このとき、切り欠いた領域たる切欠領域は、吸引孔２６が収容可能な大きさとし、基準開口部となる開口部５０−１における切欠領域は、全ての開口部における切欠領域と比較して最も小さくなっている（図１０を参照する。）。
【００６５】
また、Ｘ軸方向に沿って並ぶ開口部５０では、下記の条件を満たすように形成される。
【００６６】
・隣り合う開口部５０の右辺５０ｄ間の間隔が一致する。
・左方側に位置する開口部５０ほど、後辺５０ｅが所定量だけ長く、右辺５０ｄおよび    前辺５０ｂの長さならびに斜辺５０ａの傾斜角度は変化せず、左辺５０ｃが所定量だ    け短くなる。
・隣り合う開口部の左辺５０ｃ間の間隔が一致し、この間隔はＸ軸方向に沿って並ぶ吸    引孔２６間の間隔と一致する。
・開口部５０の角部分は、吸引孔２６の半径と一致する半径の円弧で丸められている。
【００６７】
さらに、Ｙ軸方向に沿って並ぶ開口部５０では、下記の条件を満たすように形成される。
・隣り合う開口部５０の後辺５０ｅ間の間隔が一致する。
・前方側に位置する開口部５０ほど、右辺５０ｄが所定量だけ長く、後辺５０ｅおよび    左辺５０ｃの長さならびに斜辺５０ａの傾斜角度は変化せず、前辺５０ｂが所定量だ    け短くなる。
・隣り合う開口部の前辺５０ｂ間の間隔が一致し、この間隔はＹ軸方向に沿って並ぶ吸    引孔２６間の間隔と一致する。
・開口部５０の角部分は、吸引孔２６の半径と一致する半径の円弧で丸められている。
【００６８】
そして、吸引制御板３６において開口部５０は、吸引孔２６に対して、図１０に示すように形成される。
【００６９】
即ち、吸引孔２６−１が基準開口部５０−１の切欠領域における角部に位置するときに、各開口部５０（つまり、開口部５０−２、５０−３、５０−４、５０−５、５０−６、５０−７、５０−８、５０−９である。）は、吸引孔２６（つまり、吸引孔２６−２、２６−３、２６−４、２６−５、２６−６、２６−７、２６−８、２６−９である。）が切欠領域における角部に位置するように形成される。
【００７０】
上記した条件を満たすように吸引制御板３６に形成した開口部５０の各寸法の一例を図５に示す。このとき、Ｘ軸方向およびＹ軸方向に沿って並設された吸引孔２６間の間隔は２００ｍｍとした。
【００７１】
なお、吸引制御部２４において吸引制御板３６が移動する際には、対応する吸引孔２６のみが開口部５０内に位置するように移動する。
【００７２】
即ち、開口部５０−１内には吸引孔２６−１のみが位置することができ、開口部５０−２内には吸引孔２６−２のみが位置することができ、開口部５０−３には吸引孔２６−３のみが位置することができ、開口部５０−４には吸引孔２６−４のみが位置することができ、開口部５０−５には吸引孔２６−４のみが位置することができ、開口部５０−６には吸引孔２６−６のみが位置することができ、開口部５０−７には吸引孔２６−７のみが位置することができ、開口部５０−８には吸引孔２６−８のみが位置することができ、開口部５０−９には吸引孔２６−９のみが位置することができる。
【００７３】
マイクロコンピューター１６は、印刷データに基づいてメディアに対して所定の印刷を行うよう制御するとともに、メディアの大きさや特性に基づいて吸引孔２６の吸引の制御などを行う。
【００７４】
ここで、図６には、マイクロコンピューター１６の機能的構成を示すブロック構成説明図が示されている。
【００７５】
マイクロコンピューター１６は、入力された印刷データなどに基づいて印刷ユニット１４を動作して、メディアに対して所定の印刷を行う印刷制御部５２と、印刷データなどの各種の情報を記憶する記憶部５４と、メディアに関する情報に基づいて吸着装置１２におけるメディアの吸引を制御する吸着装置制御部５６を備えている。
【００７６】
吸着装置制御部５６は、メディアの大きさに基づいて、吸引可能な吸引孔２６が存在する領域たる吸引領域を変更する吸引領域変更部５８と、メディアの特性、具体的には、シワの生じやすさに基づいて、吸引領域を徐々に拡張する吸引領域拡張部６０とを有して構成されている。
【００７７】
吸引領域変更部５８は、メディアの大きさに基づいて、駆動部材２８、４６の駆動を制御して吸引制御板３６を移動し、吸引力が生じる吸引孔２６が存在する領域、つまり、吸引領域を変更する。
【００７８】
具体的には、メディアが、全ての吸引孔２６を使用する必要がある大きさの場合には、吸引制御板３６の全ての開口部５０内に吸着板１８の吸引孔２６が位置するように吸引制御板３６を移動する（図７（ａ）を参照する。）。
【００７９】
また、メディアが、１つの吸引孔２６を使用すれば十分に吸着可能な大きさの場合には、最も左方側でＹ軸方向に並ぶ開口部５０のうちの最も前方側に位置する開口部５０（つまり、開口部５０−９である。）内にのみ吸引孔２６が位置するように吸引制御板３６を移動する（図７（ｂ）を参照する。）。
【００８０】
さらに、メディアが、Ｘ軸方向あるいはＹ軸方向に沿って並ぶ３つの吸引孔２６を使用すれば吸着可能な大きさの場合には、最も前方側でＸ軸方向に並ぶ３つの開口部５０（つまり、開口部５０−３、５０−６、５０−９である。）内にのみ吸引孔２６が位置するように吸引制御板３６を移動したり（図７（ｃ）を参照する。）、あるいは、最も左方側でＹ軸方向に並ぶ３つの開口部５０（つまり、開口部５０−７、５０−８、５０−９である。）内にのみ吸引孔２６が位置するように吸引制御板３６を移動する（図７（ｄ）を参照する。）。
【００８１】
さらにまた、メディアが、Ｘ軸方向あるいはＹ軸方向に沿って並ぶ２つの吸引孔２６を使用すれば吸着可能な大きさの場合には、最も前方側でＸ軸方向に並ぶ３つの開口部５０のうちの左方側に位置する２つの開口部５０（つまり、開口部５０−６、５０−９である。）内にのみ吸引孔２６が位置するように吸引制御板３６を移動したり（図８（ａ）を参照する。）、あるいは、最も左方側でＹ軸方向に並ぶ３つの開口部５０のうちの前方側に位置する２つの開口部５０（つまり、開口部５０−８、５０−９である。）内にのみ吸引孔２６が位置するように吸引制御板３６を移動する（図８（ｂ）を参照する。）。
【００８２】
また、メディアが、Ｘ軸方向およびＹ軸方向に２つずつ並ぶ計４つの吸引孔２６を使用すれば吸着可能な大きさの場合には、最も左方側でＹ軸方向に並ぶ３つの開口部５０のうちの前方側に位置する２つの開口部５０（つまり、開口部５０−８、５０−９である。）内と、中央でＹ軸方向に並ぶ３つの開口部５０のうちの前方側に位置する２つの開口部５０（つまり、開口部５０−５、５０−６である。）内とにのみ吸引孔２６が位置するように吸引制御板３６を移動する（図８（ｂ）を参照する。）。
【００８３】
なお、メディアの大きさについては、例えば、作業者がメディアの縦方向および横方向の寸法を入力する。
【００８４】
吸引領域拡張部６０は、駆動部材２８、４６の駆動を制御して吸引制御板３６を移動して、吸引力が生じる吸引孔２６が存在する領域を所定の方向に徐々に拡大することで、吸引領域を徐々に拡大する。
【００８５】
具体的には、全ての吸引孔２６を使用する必要のある大きさのメディアに対して、シワを生じさせないように吸引を行う場合には、まず、吸引制御板３６を、全ての開口部５０において内部に吸引孔２６が位置しない（つまり、全ての吸引孔２６が塞がれて吸引力を生じていない状態である。）初期位置まで移動する（図９（ａ）を参照する。）。
【００８６】
なお、この初期位置については、各吸引孔２６が、対応する各開口部５０における切欠領域（図１０を参照する。）に配置される位置とする。
【００８７】
その後、開口部５０の斜辺５０ａと直交する方向に移動することにより、まず、基準開口部５０−１内にのみ吸引孔２６が位置し、次に、基準開口部５０−１の左方側および前方側において隣り合う開口部５０（つまり、開口部５０−２、５０−４である。）内にも吸引孔２６が位置するようになる（図９（ｂ）を参照する。）。
【００８８】
つまり、吸引領域がない状態から、開口部５０−１のみの吸引領域へと拡張し、さらに、開口部５０−１、５０−２、５０−４により構成される吸引領域へと拡張する。
【００８９】
さらに、開口部５０の斜辺５０ａと直交する方向に移動することで、開口部５０内に位置する吸引孔２６が増加し（図９（ｃ）を参照する。）、最終的に全ての吸引孔２６が開口部５０内に位置し（図９（ｄ）を参照する。）、これにより、全ての吸引孔２６によりメディアを吸引するようになる。
【００９０】
従って、吸引領域拡張部６０では、開口部５０内に吸引孔２６が位置していない状態から吸引制御板３６を所定の方向に移動することで、メディアの角部や端部側から徐々に吸引領域を拡げて、メディアを吸着板１８に吸着するようにしている。
【００９１】
以上の構成において、所定の大きさのメディアを吸着装置１２に吸着する場合には、作業者により吸着板１８にメディアが載置され、操作子（図示せず。）が操作されてメディアの大きさが入力されるとともに、所定の大きさのメディアを吸着する指示がなされると、吸引領域変更部５８は、まず、入力されたメディアの大きさに基づいて、吸引力を生じさせる吸引孔２６を決定する。
【００９２】
なお、吸着板１８におけるメディアを載置する位置については、例えば、入力するメディアの大きさに基づいて予め決められている。
【００９３】
次に、吸引領域変更部５８は、駆動部材２８、４６を駆動して、決定した吸引孔２６が開口部５０内に位置する位置まで吸引制御板３６を移動し、その後、吸引ポンプ２０を駆動して、当該吸引孔２６からの吸引を行って、所定の大きさのメディアを吸着板１８に吸着する。
【００９４】
また、シワを生じやすいメディアを吸着装置１２に吸着する場合には、作業者により吸着板１８にメディアが載置され、操作子（図示せず。）が操作されてシワを生じないようにメディアを吸着する指示がなされると、吸引領域拡張部６０は、駆動部材２８、４６を駆動して、吸引制御板３６を初期位置まで移動する。
【００９５】
その後、吸引ポンプ２０を駆動するとともに、駆動部材２８、２６を駆動して吸引制御板３６を所定の方向に所定の速度で移動することにより、メディアの角部や端部側から吸引領域を徐々に拡張しながら、シワの生じやすいメディアを吸着板１８に吸着する。
【００９６】
以上において説明したように、本発明による吸着装置１２を備えたインクジェットプリンタ１０は、吸着板１８に設けられた複数の吸引孔２６のそれぞれに対応した複数の開口部５０が形成されている吸引制御板３６が、吸着板１８の裏面１８ｂに当接した状態で移動自在に配設されるようにした。
【００９７】
そして、吸着板１８の表面１８ａに載置されるメディアの大きさに基づいて吸引制御板３６を移動することにより、開口部５０内に吸引孔２６が位置して吸引力が生じる吸引孔２６の数を制御するようにした。
【００９８】
これにより、本発明による吸着装置１２を備えたインクジェットプリンタ１０においては、メディアが載置される領域内に位置する吸引孔２６以外の吸引孔２６は、全て吸引制御板３６により塞がれて吸引力が生じないようになる。
【００９９】
このため、本発明による吸着装置１２を備えたインクジェットプリンタ１０によれば、吸着装置１２にメディアを吸着する際に、メディアが載置される領域以外に位置する吸引孔２６を端材などを用いて塞ぐ必要がなくなり、作業時の作業者への負担が軽減される。
【０１００】
また、本発明による吸着装置１２を備えたインクジェットプリンタ１０は、シワの生じやすいメディアに対して、吸引制御板３６を所定の方向に所定の速度で移動することにより、吸引力が生じる吸引孔２６が位置する領域を拡張するようにした。
【０１０１】
これにより、本発明による吸着装置１２を備えたインクジェットプリンタ１０においては、メディアの角部や端部側から吸引領域を徐々に拡張することができるようになる。
【０１０２】
このため、本発明による吸着装置１２を備えたインクジェットプリンタ１０によれば、シワの生じやすいメディアを吸着する際にシワが生じ難くなり、作業者はメディアに対してシワを生じさせない作業を省くことができるようになり、作業時の作業者への負担が軽減される。
【０１０３】
なお、上記した実施の形態は、以下の（１）乃至（１０）に示すように変形するようにしてもよい。
【０１０４】
（１）上記した実施の形態においては、吸引領域変更部５８は、メディアの大きさに基づいて吸引制御板３６を移動して吸引力を生じる吸引孔２６が存在する領域を変更するようにしたが、これに限られるものではないことは勿論であり、作業者が吸引力を生じさせる吸引孔２６を選択し、吸引領域変更部５８は、作業者により選択された吸引孔２６に基づいて、駆動部材２８、４６の駆動を制御して、吸引制御板３６を移動するようにしてもよい。
【０１０５】
（２）上記した実施の形態においては、メディアの大きさを作業者が入力するようにしたが、これに限られるものではないことは勿論であり、吸着装置１２にメディアの大きさを検知するセンサを設け、このセンサによる検知結果からメディアの大きさを取得するようにしてもよい。
【０１０６】
（３）上記した実施の形態においては、所定の大きさのメディアを吸着装置１２に吸着する際に、作業者は、吸着板１８の予め決められた位置にメディアを載置するようにしたが、これに限られるものではないことは勿論であり、例えば、入力されたメディアの大きさに基づいて決定した吸引孔２６の位置を表示装置に表示して、作業者にメディアを載置すべき位置を指示するようにしてもよい。
【０１０７】
（４）上記した実施の形態においては、インクジェットプリンタ１０において、メディアが載置されるとともに、載置されたメディアを吸着するフラットベッドとして吸着装置１２を用いるようにしたが、これに限られるものではないことは勿論であり、メディアに対してカッティングを行うカッティングプロッタやメディアに対して打刻を行うプロッタにおけるフラットベッドとして吸着装置１２を用いるようにしてもよい。
【０１０８】
（５）上記した実施の形態においては、吸着板１８において９個の吸引孔２６を形成するようにし、こうした吸引孔２６に対応するように吸引制御板３６において９個の開口部５０を設けるようにしたが、これに限られるものではないことは勿論である。
【０１０９】
即ち、吸着板１８に形成する吸引孔２６は、２〜８、あるいは、１０個以上としてもよく、この場合には、吸引制御板３６には、それぞれの吸引孔２６に対応する位置に、吸引孔２６と同数の開口部５０を形成する。
【０１１０】
（６）上記した実施の形態においては、シワを生じやすいメディアを吸着装置１２に吸着する場合には、シワが生じないようにメディアを吸着する指示に基づいて吸引領域拡張部６０が駆動部材２８、４６の駆動を制御するようにしたが、これに限られるものではないことは勿論である。
【０１１１】
即ち、作業者がメディアの種類を入力し、吸引領域拡張部６０では、入力されたメディアの種類に基づいてシワを生じないようにメディアを吸着すべきか否かの判断を行うようにしてもよい。
【０１１２】
このとき、吸引領域拡張部６０は、シワを生じないようにメディアを吸着すべきであると判断すると、吸引制御板３６を初期位置まで移動し、その後、吸引ポンプ２０を駆動して、吸引制御板３６を所定の方向に所定の速度で移動するように制御する。また、シワを生じないようにメディアを吸着する必要がないと判断すると、全ての吸引孔２６を開口部５０内に位置するように吸引制御板３６を移動し、その後、吸引ポンプ２０を駆動するよう制御する。
【０１１３】
（７）上記した実施の形態においては、ベース部材２２においてＹ軸方向に移動可能な板部材３４の上面３４ａにＸ軸方向に移動自在に吸引制御板３６を配設するようにしたが、これに限られるものではないことは勿論であり、吸引制御板３６がベース部材２２内部において、上面３６ａが吸着板１８の裏面１８ｂと当接しながら、Ｘ軸方向およびＹ軸方向に移動できれば、吸着制御板３６の移動機構はどのような構成であってもよい。
【０１１４】
（８）上記した実施の形態においては、特に記載しなかったが、吸着装置１２における吸引孔２６および開口部５０の形成される位置について、吸引孔２６をＸ軸方向およびＹ軸方向に沿って３行３列のマトリックス状に並設するようにし、開口部５０を吸引孔２６に対応するようにＸ軸方向およびＹ軸方向に沿って３行３列のマトリックス状に並設するようにしたが、同様の機能を実現できるのであれば、上記したような位置に限定されるものではない。
【０１１５】
（９）上記した実施の形態においては、特に記載しなかったが、開口部５０の形状について、矩形形状の左方側前方の角を切り欠いた略五角形形状に形成され、各角部分は円弧状に丸められているようにしたが、同様の機能を実現できるのであれば、上記した形状に限定されるものではない。
【０１１６】
（１０）上記した実施の形態ならびに上記した（１）および（９）に示す変形例は、適宜に組み合わせるようにしてもよい。
【産業上の利用可能性】
【０１１７】
本発明は、メディアに対して所定の加工を行うフラットベッド型の加工装置における吸着装置として用いて好適である。
【符号の説明】
【０１１８】
１０  インクジェットプリンタ、１２  吸着装置、１４  印刷ユニット、１６  マイクロコンピューター、１８  吸着板、２０  吸引ポンプ、２２  ベース部材、２４  吸引制御部、２６  吸引孔、２８、４６  駆動部材、３０、４８  シャフト、３２、４０、４４  穴部、３４  板部材、３６  吸引制御板、３８、４２  一対のレール、５０  開口部、５２  印刷制御部、５４  記憶部、５６  吸着装置制御部、５８  吸引領域変更部、６０  吸引領域拡張部
【図１】
0006693771.tif 000002
【図２】
0006693771.tif 000003
【図３】
0006693771.tif 000004
【図４】
0006693771.tif 000005
【図５】
0006693771.tif 000006
【図６】
0006693771.tif 000007
【図７】
0006693771.tif 000008
【図８】
0006693771.tif 000009
【図９】
0006693771.tif 000010
【図１０】
0006693771.tif 000011